(57)【要約】【課題】排尿された尿を効率よく拡散でき、吸収容量を有効利用可能であり、漏れ防止性や着用者の肌への液戻り防止性に優れた使い捨ておむつを提供する。【解決手段】本発明の使い捨ておむつ１は、表面シート２、外層シート３及び両シート間の吸収体４を備える。吸収体４は、着用者の前後方向に対応する方向Ｘに長い吸収性コア４０を有し、吸収性コア４０には、長手方向に延びるスリット７が形成されている。吸収性コア４０は、長手方向中央線Ｃ４より前側の面積が後側の面積より大きく、その中央線Ｃ４は、おむつの中央線Ｃ１より前側に位置し、スリット７の中央線Ｃ７は、吸収性コア４０の中央線Ｃ４よりも更に前側に位置しており、吸収性コア４０は、圧縮凹部８１が散点状に形成されたエンボス領域８を有し、エンボス領域８は、スリット７の一部と重なり、エンボス領域８の中央線Ｃ８が、おむつの中央線Ｃ１からスリットの中央線Ｃ７までの範囲内に位置する。【選択図】図３
2015119786.tif 000002
【特許請求の範囲】
【請求項１】
肌対向面を形成する表面シート、非肌対向面を形成する外層シート及び両シート間に位置する吸収体を備えた使い捨ておむつであって、
前記吸収体は、着用者の前後方向に対応する長手方向に長い形状の吸収性コアを有し、該吸収性コアには、長手方向に延びるスリットが形成されており、
前記吸収性コアは、その長手方向の全長を２等分する長手方向中央線より前側の面積が該長手方向中央線より後側の面積より大きく、該吸収性コアの長手方向中央線は、おむつの長手方向中央線より前側に位置し、前記スリットの長手方向中央線は、該吸収性コアの長手方向中央線よりも更に前側に位置しており、
前記吸収性コアは、エンボス加工により圧縮凹部が散点状に形成されたエンボス領域を有し、該エンボス領域は、圧縮凹部相互間の距離が０．１ｍｍ以上５ｍｍ以下、個々の圧縮凹部の最大寸法が０．１ｍｍ以上５ｍｍ以下、面積が、吸収性コアの平面視全面積の５％以上５０％以下であり、
前記エンボス領域は、前記スリットの一部と重なっており、該エンボス領域の長手方向中央線が、前記おむつの長手方向中央線から前記スリットの長手方向中央線までの範囲内に位置する、使い捨ておむつ。
【請求項２】
前記エンボス領域は、前記スリットの後端より後方に位置する部分と、該スリットを挟んでその左右両側に位置する部分とを有する、請求項１に記載の使い捨ておむつ。
【請求項３】
前記吸収性コアは、長手方向前側の端部の幅Ｗａと長手方向後側の端部の幅Ｗｂとの比（Ｗａ／Ｗｂ）が、０．９以上１．１以下である、請求項１又は２に記載の使い捨ておむつ。
【請求項４】
前記吸収性コアは、平面視において、長手方向の両側縁が内方に向けて凹状をなす括れ部と、その前後に位置する腹側幅広部及び背側幅広部を有しており、前記括れ部の最小幅部の幅は、前記腹側幅広部の最大幅に対する比が０．９３以下である、請求項１〜３の何れか１項に記載の使い捨ておむつ。
【請求項５】
前記括れ部の最小幅部が、前記吸収性コアの長手方向中心線よりも後側に位置する、請求項４に記載の使い捨ておむつ。
【請求項６】
前記括れ部の両側縁は、内方に向かって凹の湾曲曲線状に形成されている、請求項４又は５記載の使い捨ておむつ。
【請求項７】
前記吸収性コアは、前記おむつの長手方向中央線の位置で前後に２分割したとき、後側部分と前側部分とで質量の比（後側：前側）が、４０：６０〜４９：５１である、請求項１〜６の何れか１項に記載の使い捨ておむつ。
【請求項８】
前記吸収性コアは、前記おむつの長手方向中央線の位置で前後に２分割したとき、後側の部分と前側の部分とで、該吸収性コアの長手方向における長さの比（後側：前側）が、４０：６０〜４９：５１である、請求項１〜７の何れか１項に記載の使い捨ておむつ。
【請求項９】
前記吸収性コアは、吸水性ポリマーとパルプ繊維とを含み、該吸収性コアの総質量に対する該パルプ繊維の質量の割合が５０％以上である、請求項１〜５の何れか１項に記載の使い捨ておむつ。
【請求項１０】
前記吸収体は、前記吸収性コアを包むコアラップシートを有し、前記圧縮凹部においては、該コアラップシートが該吸収性コアと共に凹陥している、請求項１〜９の何れか１項に記載の使い捨ておむつ。
【請求項１１】
前記吸収体は、前記吸収性コアが、拡散性の高いコアラップシートによって被覆されている、請求項１〜１０の何れか１項に記載の使い捨ておむつ。
【請求項１２】
圧縮凹部が直列してなる線状エンボス列が、前記エンボス領域から、前記吸収性コアの前側の端部に向かって延出するように形成されている、請求項１〜１１の何れか１項に記載の使い捨ておむつ。
【請求項１３】
前記吸収性コアに、長手方向に延びる縦溝及び該長手方向と交差する方向に延びる複数本の横溝が形成されており、前記吸収性コアに、溝に囲まれた複数の小吸収部が形成されている、請求項１〜１２の何れか１項に記載の使い捨ておむつ。
【発明の詳細な説明】
【技術分野】
【０００１】
本発明は、使い捨ておむつに関する。
【背景技術】
【０００２】
使い捨ておむつの吸収体として、フィット性を向上させる観点から、着用者の股下部に配される部分を括れた形状としたものが知られている。しかし、吸収体を括れた形状とすることは、股下部に十分な吸収容量を確保することを難しくし、股下部からの液漏れや、吸収した液が着用者の肌に戻る、いわゆる液戻りが生じ易くなる。
吸収体を構成する吸収性コアにスリットを設ける技術として、特許文献１には、上側吸収層と下側吸収層とを有する吸収性構造体に関し、下側吸収層が前後方向に延びる開口を有し、上側吸収層が前記開口の後側端を覆っている吸収性構造体が記載されている。また、特許文献２には、吸収性コアに、非肌対向面側に開口部を有するスリットを、吸収性コアの長手方向に延びるように形成することが記載されている。
【先行技術文献】
【特許文献】
【０００３】
【特許文献１】特開２０１２−０４０２６０号公報
【特許文献２】特開２０１２−１４３５４２号公報
【発明の概要】
【発明が解決しようとする課題】
【０００４】
特許文献１には、下側吸収層の開口で尿等が前後方向に拡散し、開口の後吸収性構造体方側に拡散した尿等が、開口の後側端が上側吸収層で覆われて形成されるポケットに収容されることが記載されている。しかし、下側吸収層の開口は、吸収性物品の中央部付近のみに形成されているので、液が股下部付近に留まりやすい。
特許文献２におけるスリットは、吸収性コアの前後方向に長く延びているが、吸収性コアを、前後非対称として前後に吸収容量に差をつけることは記載されていない。また、従来の吸収性コアにスリットを設ける技術においては、設計上の排尿ポイント部からズレた位置に排尿された場合には、その液を、スリットを介して吸収容量の大きい領域に効果的に誘導できない場合があった。
【０００５】
本発明は、排尿された尿を、吸収性コアにおける大面積の前側領域に効率よく拡散させることができ、吸収容量を有効利用可能であり、漏れ防止性や着用者の肌への液戻り防止性に優れた使い捨ておむつに関する。
【課題を解決するための手段】
【０００６】
本発明は、肌対向面を形成する表面シート、非肌対向面を形成する外層シート及び両シート間に位置する吸収体を備えた使い捨ておむつであって、前記吸収体は、着用者の前後方向に対応する長手方向に長い形状の吸収性コアを有し、該吸収性コアには、長手方向に延びるスリットが形成されており、前記吸収性コアは、その長手方向の全長を２等分する長手方向中央線より前側の面積が該長手方向中央線より後側の面積より大きく、該吸収性コアの長手方向中央線は、おむつの長手方向中央線より前側に位置し、前記スリットの長手方向中央線は、該吸収性コアの長手方向中央線よりも更に前側に位置しており、前記吸収性コアは、エンボス加工により圧縮凹部が散点状に形成されたエンボス領域を有し、該エンボス領域は、圧縮凹部相互間の距離が０．１ｍｍ以上５ｍｍ以下、個々の圧縮凹部の最大寸法が０．１ｍｍ以上５ｍｍ以下、面積が、吸収性コアの平面視全面積の５％以上５０％以下であり、前記エンボス領域は、前記スリットの一部と重なっており、該エンボス領域の長手方向中央線が、前記おむつの長手方向中央線から前記スリットの長手方向中央線までの範囲内に位置する、使い捨ておむつを提供するものである。
【発明の効果】
【０００７】
本発明の使い捨ておむつは、排尿された尿を、吸収性コアにおける大面積の前側領域に効率よく拡散させることができ、吸収容量を有効利用可能であり、例えば、着用者の肌への液戻り防止性に優れている。
【図面の簡単な説明】
【０００８】
【図１】図１は、本発明の一実施形態である使い捨ておむつの展開平面図である。
【図２】図２は、図１のＩＩ−ＩＩ線断面図である。
【図３】図３は、図１に示すおむつにおける各部の位置関係を示す模式平面図である。
【図４】図４は、エンボス領域に形成する圧縮凹部の好ましい配置例を示す吸収体の模式拡大平面図である。
【図５】図５は、エンボス領域に形成する圧縮凹部の他の好ましい配置例を示す吸収体の模式拡大平面図である。
【図６】図６は、図１に示すおむつの作用効果の説明図である。
【図７】図７は、本発明の更に他の実施形態である使い捨ておむつの図３相当図である。
【図８】図８は、本発明の更に他の実施形態である使い捨ておむつの吸収性コアを示す平面図である。
【図９】図９は、実施例及び比較例の液拡散面積の測定において液が拡がった範囲を示す（拡散面積）を示す写真である。
【発明を実施するための形態】
【０００９】
以下、本発明をその好ましい実施形態に基づき図面を参照しながら説明する。
本発明の一実施形態としての使い捨ておむつ１（以下、単におむつ１ともいう）は、図１及び図２に示すように、肌対向面を形成する液透過性の表面シート２、非肌対向面を形成する外層シート３、及び両シート２，３間に位置する液保持性の吸収体４を備えている。肌対向面は、おむつの着用時に、着用者の肌側に向けられる面であり、非肌対向面は、おむつの着用時に、着用者の肌側とは反対側に向けられる面である。
【００１０】
おむつ１は、着用者の前後方向に対応する方向、より詳しくは着用時に着用者の前後方向と一致する方向である長手方向Ｘと、おむつ１を、図１に示すように平面状に広げた状態において、前記長手方向Ｘと交差する幅方向Ｙとを有している。
おむつ１は、長手方向Ｘに、着用時に着用者の腹側に配される腹側部Ａ、着用時に着用者の背側に配される背側部Ｂ、及び、着用時に着用者の股間に配される股下部Ｃとを有している。また、本実施形態のおむつ１は、図１に示すように、展開型の使い捨ておむつであり、背側部Ｂの両側縁部に、ファスニングテープ５，５が設けられ、腹側部Ａの外表面にファスニングテープ５，５を止着するランディングゾーン５１が設けられている。また、おむつ１は、股下部Ｃの両側縁が円弧状に形成されており、平面視において、長手方向Ｘの中央部が括れた形状を有している。
【００１１】
外層シート３は、おむつ１の非肌対向面（外表面）を形成するシートであり、外層シート３を、おむつ１の非肌対向面側から視た平面視形状は、おむつ１の外形形状に一致する形状を有している。外層シート３としては、例えば、液難透過性の樹脂フィルムからなるものや、樹脂フィルムの非肌対向面側に不織布を積層接着したもの等が好ましく用いられる。外層シート３は、２枚又は３枚以上のシートを、おむつ１の長手方向に連結してなるものであっても良い。
表面シート２は、液透過性の各種公知のシートからなる。本実施形態における表面シート２は、図１及び図２に示すように、外層シート３より幅が狭く、外層シート３の幅方向中央部上に配されている。表面シート２と外層シート３との間には、おむつ１の長手方向Ｘに長い形状の吸収体４が介在している。
【００１２】
吸収体４、パルプ繊維等の繊維材料からなる繊維集合体及びこれに保持させた吸水性ポリマーの粒子からなる吸収性コア４０と、該吸収性コア４０を被覆するコアラップシート４１，４２とからなる。コアラップシート４１，４２としては、各種公知のものを用いることができ、例えばティッシュペーパのような透水性の薄紙や透水性の不織布等が好ましく用いられる。吸収性コア４０は、吸収体４と略同じ平面視形状をしている。コアラップシート４１，４２は、吸収性コア４０の長手方向の両端４０ｄ，４０ｅと同位置、又は該両端４０ｄ，４０ｅから長手方向Ｘに若干延出した位置に長手方向Ｘの両端を有している。吸収性コア４０は、図３に示すように、長手方向の両側縁４０ｓ，４０ｓが内外方に向けて凹状をなす括れ部４０ｃと、その前後に位置する腹側幅広部４０ａ及び背側幅広部４０ｂを有している。
【００１３】
図１及び図２に示すように、おむつ１の股下部Ｃの両側部には、レッグ部弾性部材９が伸長状態で配されている。レッグ部弾性部材９は、おむつ１の長手方向両側にそれぞれ１本又は複数本配されている。レッグ部弾性部材９は、外層シート３と立体ギャザー６，６形成用のシート材６２との間に接着剤を介して固定されている。レッグ部弾性部材９は、収縮して、着用者の脚廻りに配されるレッグ部にレッグギャザーを形成する。また、おむつ１における長手方向の両側には、弾性部材６１を有する立体ギャザー形成用のシート材６２が配されており、おむつの着用時には、弾性部材６１の収縮により、着用者の肌に向かって起立する立体ギャザー６が形成される。
なお、本実施形態のおむつ１は、着用者の前後方向に対応する長手方向に延びる中央線（図示せず）に対して左右対称の形状を有している。
【００１４】
本実施形態における吸収性コア４０について更に説明すると、吸収性コア４０は、図１に示すように、着用者の前後方向に対応する長手方向Ｘに長い形状を有しており、吸収性コア４０には、図１に示すように、長手方向Ｘに延びるスリット７が形成されている。
スリット７は、吸収性コアの一部に形成した、吸収性コアの形成材料が存在しない部分であり、平面視において吸収性コアの長手方向に沿って細長い形状であり、吸収性コア４０を厚み方向に貫通している。
スリット７は、その幅Ｗ７が、好ましくは３ｍｍ以上、より好ましくは５ｍｍ以上であり、また好ましくは２０ｍｍ以下、より好ましくは１５ｍｍ以下である。
形成材料が存在しない部分という表現には、実質的に存在しない場合、例えば、存在しないように製造したが、不可避的に微量の形成材料が存在してしまった場合も含まれる。ただし、形成材料が存在しない部分における形成材料の坪量は、他の部分の同坪量の１０分の１以下であることが好ましい。
【００１５】
また、本実施形態における吸収性コア４０は、図３に示すように、その長手方向Ｘの全長Ｌ４を２等分する長手方向中央線Ｃ４の前後で非対称の形状を有しており、長手方向中央線Ｃ４より前側の面積Ｓａが該長手方向中央線Ｃ４より後側の面積Ｓｂより大きくなっている。ここでいう面積Ｓａ，Ｓｂは、それぞれ、吸収性コアを平面状に広げた状態における平面積であり、面積にはスリット７部分の面積も含める。
また、図３に示すように、吸収性コア４０の長手方向中央線Ｃ４は、おむつの長手方向中央線Ｃ１より前側に位置し、前記スリット７の長手方向中央線Ｃ７は、吸収性コア４０の長手方向中央線Ｃ４よりも更に前側に位置している。
おむつの長手方向中央線Ｃ１は、吸収性コア４０の長手方向Ｘと同方向におけるおむつ１の全長Ｌを２等分して吸収性コア４０の幅方向Ｙに延びる直線であり、スリット７の長手方向中央線Ｃ７は、スリット７の全長Ｌ７を２等分して吸収性コア４０の幅方向Ｙに延びる直線である。また、前側は、吸収性コアの長手方向Ｘにおいて、着用時に着用者の腹側に配される前側の端部４０ｄに近い側であり、後側は、吸収性コアの長手方向Ｘにおいて、着用時に着用者の背側に配される背側の端部４０ｅに近い側である。
【００１６】
また、本実施形態における吸収性コア４０は、エンボス加工による圧縮凹部が散点状に形成されたエンボス領域８を有している。エンボス領域８は、エンボス加工により形成された圧縮凹部８１が、下記条件（１）及び（２）を満たすように配置された領域である。
（１）圧縮凹部相互間の距離が０．１ｍｍ以上５ｍｍ以下である。
（２）個々の圧縮凹部の最大寸法が０．１ｍｍ以上５ｍｍ以下である。
上記領域を平面視すると散点状に配されたエンボス群が長方形、正方形、楕円などの形状を有して配されている。形状の輪郭は、エンボス群の外縁にある個々のエンボスをなぞっていくと略このような形状となる。
〔前記条件（１）について〕
図４は、本実施形態におけるエンボス領域８に形成されている圧縮凹部８１の配置を示す拡大平面図である。本実施形態における圧縮凹部８１は、吸収性コア４０の長手方向Ｘに隣り合う圧縮凹部と、吸収性コア４０の幅方向Ｙにおいて隣り合う圧縮凹部と、吸収性コア４０の長手方向及び幅方向の両方向と交差する斜め方向において隣り合う圧縮凹部とを有するが、前記条件（１）を満足するには、これらのうちの、長手方向Ｘ及び幅方向Ｙにおいて隣り合う圧縮凹部間の最短距離ｃ，ｄ，ａ，ｂが、前記（１）に規定する範囲であれば良い。該最短距離は、圧縮凹部の平面視形状の外郭線同士の間の距離である。
図４に示す圧縮凹部の配置パターンにおいては、距離ａ〜ｄが相互に同一であることが好ましい。
【００１７】
なお、圧縮凹部８１においては、吸収性コアがコアラップシートとともに厚み方向に圧縮されて高密度化しており、また、吸収性コアの肌対向面側が凹状をなしている。後述する圧縮凹部８２も同様である。
【００１８】
また、図５は、エンボス領域８に形成されている圧縮凹部の他の配置を示す拡大平面図であるが、図５に示すように、長手方向Ｘにおいて、圧縮凹部８１が千鳥配置の場合は、長手方向Ｘの向きに隣り合う一番近い位置に配される圧縮凹部８１との最短距離ｆ、ｇ、ｈが、前記（１）に規定する範囲であれば良い。図５に示すように、隣り合う圧縮凹部の中心を結ぶ形状が三角形をなす配置パターンにおいては、隣り合う圧縮凹部の中心点間距離又は最短距離ｆ〜ｇが相互に同一であることが好ましい。
【００１９】
前記条件（１）における圧縮凹部相互間の距離は、０．１ｍｍ以上５ｍｍ以下であるが、より好ましくは１ｍｍ以上であり、更に好ましくは２ｍｍ以上であり、また、より好ましくは４ｍｍ以下であり、更に好ましくは３ｍｍ以下である。
【００２０】
〔前記条件（２）について〕
前記条件（２）に関し、個々の圧縮凹部の最大寸法とは、圧縮凹部８１の平面視形状が、図４に示すように円形の場合は、その円の直径Ｌ８１であり、他の形状である場合は、圧縮凹部８１の周縁上の２点を結ぶ線分の距離が最大となる線分の距離である。例えば、圧縮凹部８１の平面視形状が、長円や楕円形の場合は、その長軸の長さであり、正方形や長方形の場合は、その最大の長さを有する対角線の長さである。
【００２１】
前記条件（２）における圧縮凹部の最大寸法は、０．１ｍｍ以上５ｍｍ以下であるが、より好ましくは１ｍｍ以上であり、更に好ましくは２ｍｍ以上であり、また、より好ましくは４ｍｍ以下であり、更に好ましくは３ｍｍ以下である。
【００２２】
本実施形態における吸収性コア４０には、上記の条件（１）及び（２）を満たすように配置された圧縮凹部８１を有すエンボス領域８を有し、そのエンボス領域８の面積が、吸収性コア４０の平面視全面積の５％以上５０％以下である。エンボス領域８の面積は、圧縮凹部８１の面積と、圧縮凹部８１どうし間に位置する、圧縮凹部８１以外の部分の面積の総和である。
また、エンボス領域８は、図３に示すように、スリット７の後端７ｂ側（長手方向の後端側）の一部と重なっている。本実施形態のエンボス領域８は、吸収性コア４０を、コアラップシート４１，４２で被覆した積層体を、エンボスピン（エンボス用の円柱状の凸部）が、図４に示す配置パターンで形成された加圧部を周面に備えたエンボスロールとアンビルロールとの間に通し、該積層体をエンボスピンで、上側コアラップシート４１側から加圧しつつ加熱して形成したものである。このように、上側のコアラップシート４１と吸収性コア４０とを重ねてエンボス加工を施すことによってエンボス領域８を形成したものであるため、図２に示すように、個々の圧縮凹部８１においては、上側のコアラップシート４１が吸収性コア４０と共に凹陥し、個々の圧縮凹部８１にコアラップシート４１が係合して固定されている。
【００２３】
なお、エンボスロールの加圧部によって加圧される部分に、スリット７が存在すると、該加圧部における一部の凸部は、スリット７部分を加圧することになる。そのような場合、エンボス用の凸部で、コアラップシート４１が単独で押圧されることもあり得るが、そのような場合、該スリット７と重なる部分にも、他の部分と同様の配置パターンでエンボス部８１が形成されているものとして、上記の（１）及び（２）を満足するか否かを判断し、また、エンボス領域の面積やエンボス領域がスリットと重なっているか否かを判断する。
【００２４】
また、本実施形態におけるエンボス領域８は、図３に示すように、エンボス領域８の長手方向中央線Ｃ８が、おむつの長手方向中央線Ｃ１からスリットの長手方向中央線Ｃ７までの範囲内に位置する。エンボス領域８の長手方向中央線Ｃ８が、前記範囲に位置する態様には、該中央線Ｃ８が、おむつの長手方向中央線Ｃ１又はスリットの長手方向中央線Ｃ７と重なる場合も含まれる。
エンボス領域８の長手方向中央線Ｃ８は、吸収性コア４０の長手方向Ｘにおけるエンボス領域８の全長Ｌ８を２等分して吸収性コア４０の幅方向Ｙに延びる直線である。
【００２５】
本実施形態の使い捨ておむつ１は、通常の展開型の使い捨ておむつと同様にして着用者に装着されて使用される。そして、着用者が排尿したときに、排尿された尿が直接供給された排尿部Ｐの位置が、スリット７に重なっているときには、その尿は、スリット７に沿っておむつの前方へと誘導される。他方、排尿された尿が直接供給された排尿部Ｐの位置が、図６に示すように、スリット７の位置からズレたときであっても、排尿部Ｐがエンボス領域８と重なっていれば、その液は、エンボス領域８以外の部分に拡散しにくい一方、エンボス領域８内を拡散し易いため、その液は、エンボス領域８内を拡散してスリット７に容易に達する。スリット７に達した液は、スリット７に沿っておむつの前方へと誘導される。スリット７に沿っておむつの前方へと誘導された液は、スリット７に沿って、おむつの前方に広がりつつ、スリットの両側に位置する部分に吸収される。
本実施形態のおむつ１によれば、このような作用により、液を、吸収性コア４０における大面積の前側の領域に効率よく拡散させることができ、吸収性コアの吸収容量を無駄なく有効利用可能である。また、それにより、着用者の肌への液戻り防止性に優れた使い捨ておむつとなる。
【００２６】
このような効果が一層確実に奏されるようにする観点、あるいは追加の好ましい効果が奏されるようにする観点から、おむつ１は、以下の一又は二以上の条件を満たすことが好ましい。
【００２７】
まず、エンボス領域８は、図６に示すように、スリット７を挟んでその左右両側に位置する部分８ｓ，８ｓを有することが好ましい。また、排尿部Ｐのより大きなズレに対応可能とする観点から、エンボス領域８は、図６に示すように、スリット７の後端７ｂ（後側の端部）より後方に位置する部分８ｂと、スリット７を挟んでその左右両側に位置する部分８ｓ，８ｓとを有することが更に好ましい。
【００２８】
吸収性コア４０は、長手方向中央線Ｃ４より前側の面積Ｓａと、該長手方向中央線Ｃ４より後側の面積Ｓｂとの比（Ｓａ／Ｓｂ）が、好ましくは０．９６以上であり、更に好ましくは１．００以上であり、また好ましくは１．２２以下、更に好ましくは１．５０以下であり、また、好ましくは０．９６以上１．５０以下であり、更に好ましくは１．００以上１．２２以下である。
【００２９】
また、吸収性コア４０の長手方向中央線Ｃ４の位置は、おむつの長手方向中央線Ｃ１より前側に５ｍｍ以上離間していることが好ましく、１０ｍｍ以上４０ｍｍ以下離間していることがより好ましい。
また、スリットの長手方向中央線Ｃ７の位置は、吸収性コアの長手方向中央線Ｃ４より前側に１０ｍｍ以上離間していることが好ましく、３０ｍｍ以上７０ｍｍ以下離間していることがより好ましい。
【００３０】
吸収性コア４０は、長手方向前側の端部の幅Ｗａと長手方向後側の端部の幅Ｗｂとの比（Ｗａ／Ｗｂ）が、腹側部及び背側部の吸収容量調整の点から、好ましくは０．９以上１．１以下であり、更に好ましくは０．９５以上１．０５以下である。
【００３１】
脚回りフィット性の観点から、吸収性コア４０は、括れ部４０ｃの最小幅部Ｃｓにおける幅Ｗｃの、腹側幅広部４０ａの最大幅（図３に示す例では、前側端部４０ｄの幅Ｗａに同じ）に対する比が、好ましくは０．９３以下であり、更に好ましくは０．９０以下であり、また、好ましくは０．７０以上であり、更に好ましくは０．８０以上である。また、同様の点から、吸収性コア４０は、括れ部４０ｃの最小幅部Ｃｓにおける幅Ｗｃの、背側幅広部４０ｂの最大幅（図３に示す例では、背側端部４０ｅの幅Ｗｂに同じ）に対する比が、好ましくは０．９３以下であり、更に好ましくは０．９０以下、また、好ましくは０．７０以上、更に好ましくは０．８０以上である。
【００３２】
また、吸収性コア４０が括れ部４０ｃを有する場合、その括れ部４０ｃの最小幅部Ｃｓは、吸収性コア４０の長手方向中心線Ｃ４よりも前側又は後側に位置することが、脚回りのフィット性の点から、好ましく、図３に示すように、該吸収性コア４０の長手方向中心線Ｃ４よりも後側に位置することが、高月齢を対象としたおむつの場合、脚回りのフィット性と吸収容量とのバランスの点から、より好ましい
【００３３】
また、括れ部４０ｃの両側縁４０ｓ，４０ｓは、図３に示すように、内方に向かって凹の湾曲曲線状に形成されていることが、脚回りのフィット性の点から好ましい。更に、括れ部４０ｃの両側縁４０ｓ，４０ｓは、図３に示すように、括れ部４０ｃの最小幅部Ｃｓより前側における湾曲の程度が、最小幅部Ｃｓより後側における湾曲の程度より大きいことが、よりフィット性向上の点から好ましく、例えば、前側における曲率半径が、後側における曲率半径より小さいことが好ましい。
【００３４】
また、脚回りのフィット性の観点から、括れ部４０ｃは、吸収性コア４０の長手方向Ｘにおける長さが、吸収性コア４０の長手方向Ｘの全長Ｌ４に対して、好ましくは３０％以上であり、更に好ましくは４０％以上であり、また好ましくは７０％以下、更に好ましくは６０％以下であり、また、好ましくは３０〜７０％であり、更に好ましくは４０〜６０％である。
【００３５】
また、吸収性コア４０は、おむつの長手方向中央線Ｃ１の位置で前後に２分割したとき、該中央線Ｃ１より後側の部分と該中央線Ｃ１より前側の部分とで質量の比（後側：前側）が、４０：６０〜４９：５１であることが、吸収性の点から好ましく、４２：５８〜４６：５４であることが更に好ましい。
また、吸収性コア４０は、おむつの長手方向中央線Ｃ１の位置で前後に２分割したとき、該中央線Ｃ１より後側の部分と該中央線Ｃ１より前側の部分とで、該吸収性コアの長手方向Ｘにおける長さの比（後側：前側）が、４０：６０〜４９：５１であることが、吸収性の点から好ましく、４２：５８〜４６：５４であることが更に好ましい。
【００３６】
スリット７の全長Ｌ７は、おむつ１の長手方向の全長Ｌの、好ましくは２０％以上、更に好ましくは３０％以上であり、また、好ましくは４５％以下、更に好ましくは４０％以下であり、また、好ましくは２０〜４５％、更に好ましくは３０〜４０％である。
また、スリット７は、吸収性コア４０の前側の端部４０ｄからスリット７の長手方向中央線Ｃ７までの距離が、吸収性コア４０の全長Ｌ４の好ましくは１５％以上、更に好ましくは２０％以上であり、また、好ましくは４５％以下、更に好ましくは４０％以下であり、また、好ましくは１５％以上４５％以下、更に好ましくは２０％以上４０％以下である。
また、スリット７は、吸収性コア４０の前側の端部４０ｄからスリット７の後側の端部７ｂまでの距離が、吸収性コア４０の全長Ｌ４の好ましくは４０％以上、更に好ましくは４５％以上であり、また、好ましくは６０％以下、更に好ましくは５０％以下であり、また、好ましくは４０％以上６０％以下、更に好ましくは４５％以上５０％以下である。また、スリット７は、前側の端部７ａが、吸収性コア４０の前側の端部４０ｄに達していないことが好ましい。
【００３７】
吸収性コア４０に形成するスリット７においては、図２に示すように、スリット７と重なる部分において、吸収性コア４０の肌対向面側に位置する上側コアラップシート４１と、非肌対向面側に位置する下側コアラップシート４２との間が、非接合又は離間状態となっていることが好ましい。
【００３８】
表面シート２としては、使い捨ておむつの表面シートとして従来用いられている各種のシート等を特に制限なく用いることができ、例えば、開孔フィルムや単層又は多層構造の各種製法による不織布を用いることができる。
【００３９】
上述したおむつ１における吸収性コア４０は、前述したように、パルプ繊維等の繊維材料からなる繊維集合体及びこれに保持させた吸水性ポリマーの粒子からなる。繊維集合体を構成する繊維材料としては、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマーの粒子としては、例えば、使い捨ておむつに従来用いられている各種の吸水性ポリマーを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
吸収性コア４０は、空気流に載せて供給した繊維材料を、所定形状の積繊用凹部内に吸引して堆積させる積繊工程を経て得られるものが好ましく、繊維材料とともに吸水性ポリマーを空気流に乗せて供給し、混合状態等の所定の堆積状態に堆積させて製造したものがより好ましい。前述したスリット７は、積繊ドラムの積繊用凹部内に、スリット７に対応する形状の非通気性の凸部等を設けることにより容易に形成することができる。
【００４０】
本発明における吸収性コアは、吸水性ポリマーとパルプ繊維とを含み、該吸収性コアの総質量に対する該パルプ繊維の質量の割合が２５％以上であることが、吸液により膨潤した吸水性ポリマーがゲル状となって、それ以後の吸液を阻害するゲルブロッキングと呼ばれる現象を起こり難くする観点から好ましい。吸収性コアの総質量に対するパルプ繊維の質量の割合は、より好ましくは３０％以上であり、また好ましくは７０％以下、更に好ましくは６０％以下であり、より具体的には、好ましくは４０〜７０％、更に好ましくは５０〜６０％である。吸収性コアの総質量に対する、パルプ繊維及び吸水性ポリマーの合計質量の割合は、好ましくは９０〜１００％であり、更に好ましくは９５〜１００％である。なお、吸収性コアは、全ての領域で、吸収性コアの総質量に対するパルプ繊維の質量の割合が同じでも良いが、一つの吸収性コア内で、該割合が変化していても良いし、異なる複数の領域を有していても良い。
【００４１】
また、吸収体４は、吸収性コア４０が、拡散性の高いコアラップシート４１，４２によって被覆されていることが、スリット７を介した液の拡散性を一層向上させ得るので好ましい。ここで、コアラップシートに関し、拡散性が高いとは、下記方法により測定したクレム吸水量が、好ましくは０．２ｇ／３０ｓｅｃ・１５ｍｍ以上、更に好ましくは０．２〜０．４ｇ／３０ｓｅｃ・１５ｍｍの範囲であることを意味する。
〔クレム吸水量の測定方法〕
測定対象シート（薄葉紙）を室温２３℃±２℃、相対湿度５０％ＲＨ±２％の環境下で１２時間放置して一定状態になるよう調湿する。調湿後のシートから、ＭＤに１５０ｍｍ、ＣＤに１５ｍｍの寸法の長方形形状を切り出し、この切り出された長方形形状をサンプルとする。サンプルの一方の短辺から長手方向内方に５ｍｍ離間した位置に、該短辺と平行な直線（標線）を鉛筆で引く。そして、サンプルの長辺が垂直になるように該サンプルを電子天秤の下部に吊り下げ、この吊り下げ状態を保持したままで該サンプルを前記標線まで素早く測定液（生理食塩水）中に入れる。尚、サンプルは、前記標線（鉛筆で引いた直線）が前記測定液に近くなるように吊り下げる。そして、サンプルを測定液中に入れてから３０秒後の該サンプルの重量増加分を電子天秤で測定し、その測定値をクレム吸水量（ｇ／３０ｓｅｃ．１５ｍｍ）とする。クレム吸水量が多いほど高評価となる。尚、電子天秤には、市販の電子天秤データ取り込みソフト（商品名 RｓCom Ver２．４０：（株）エー・アンド・デイ社製）がインストールされたパーソナルコンピュータが電気的に接続されており、これによりサンプルの重量変化を記録することができる。
【００４２】
上述したおむつ１においては、吸収性コア４０の肌対向面側を被覆する上側のコアラップシート４１と、吸収性コア４０の非肌対向面側を被覆する下側のコアラップシート４２とが別体のシートであるが、少なくとも、非肌対向面側を被覆するコアラップシート４２が、ここでいう「拡散性の高い」シートであることが好ましい。
液高拡散性のコアラップシートとしては、例えば、嵩高セルロース繊維及び非嵩高セルロース繊維を併用したパルプシート等を用いることができる。
【００４３】
図７は、本発明の他の実施形態の使い捨ておむつを示す図である。
図７に示す使い捨ておむつにおいては、吸収性コア４０Ａに、圧縮凹部８２が直列してなる線状エンボス列８Ａが、エンボス領域８から、吸収性コア４０の前側の端部に向かって延出するように形成されている。図７に示す吸収性コア４０Ａにおいては、線状エンボス列８Ａにおける圧縮凹部８２も、エンボス領域８における圧縮凹部８１と同様に、コアラップシート４１と吸収性コア４０とを一体的に加熱及び加圧して形成されているが、線状エンボス列８Ａにおける圧縮凹部８２は、散点状に形成されてはおらず、一列をなすように間欠配置され、圧縮凹部８２同士間も、圧縮凹部８１，８２以外の部分に比して窪んでいる。それによって、線状エンボス列８Ａは、間欠的に配置された圧縮凹部８２とそれらの間に位置する窪んだ部分とからなる溝形状をなしている。線状エンボス列８Ａを形成するための圧縮凹部８２は、個々の圧縮凹部８２の最大寸法が、好ましくは１ｍｍ以上４ｍｍ以下であり、更に好ましくは２ｍｍ以上３ｍｍ以下である。また、線状エンボス列８Ａの長手方向に隣り合う圧縮凹部８２どうし間の間隔は、好ましくは０．５ｍｍ以上３ｍｍ以下であり、更に好ましくは１ｍｍ以上２ｍｍ以下である。
【００４４】
図７に示す吸収性コア４０Ａのように、エンボス領域８から、吸収性コア４０の前側の端部に向かって延出する線状エンボス列８Ａを設けることにより、液を、吸収性コアの長手方向中央線Ｃ４より前側の領域のより広い範囲に拡散させることができ、吸収性コア４０Ａの吸収容量を一層有効活用できる。
図７に示す使い捨ておむつに関して、特に説明しない点は、前述したおむつ１と同様であり、おむつ１についての説明が適宜適用される。
【００４５】
図８は、本発明で採用し得る吸収性コアの他の例を示す吸収性コアの平面図である。図８に示す吸収性コア４０’は、例えば、上述したおむつ１における吸収性コア４０に代えて用いることができる。
吸収性コア４０’においては、上記のスリット７に加えて、更に縦溝７Ａ及び横溝７Ｂをスリット７とは別に有している。これらの溝（縦溝、横溝）は、いずれも吸収性コア４０’を厚み方向に貫通している。吸収性コア４０’においては、吸収性コア４０’の長手方向中央線Ｃ４よりも前側の領域に、長手方向Ｘに延びる縦溝７Ａ，７Ａ及び該長手方向Ｘと交差する方向Ｙに延びる複数本の横溝７Ｂが形成されており、該吸収性コア４０’に、溝により囲まれた複数の小吸収部７５が形成されている。より具体的には、縦溝７Ａは、幅方向Ｙの中央に配されたスリット７の両側それぞれに１本ずつ形成されている。横溝７Ｂは、吸収性コア４０’の長手方向中央線Ｃ４よりも前側の領域に複数本形成されており、それらの横溝７Ｂは、それぞれ、中央のスリット７と十字状に交差するとともに、中央のスリット７を挟んでその両側に位置する縦溝７Ａ，７Ａのそれぞれにも連結されている。
【００４６】
縦溝７Ａ、横溝７Ｂを有し、溝により囲まれた複数の小吸収部７５を有する吸収性コアを用いると、吸収性コア４０’の長手方向中央線Ｃ４よりも前側の領域における液の拡散性が一層向上し、スリット７により該領域に広く拡散された液が、該領域に広く広がり、全体として吸収される面積が広がり、ウェットバックの低減及びモレ防止性が向上する。
【００４７】
図８に示すように、縦溝７Ａを有する場合であっても、スリット７について、スリットの長手方向中央線Ｃ７を決定する。即ち、吸収性コアに長手方向に延びる複数本の溝を有する場合、その溝以外に、幅方向Ｙの中央部に配されたスリットを、本発明において必須のスリットとし、該スリットの配置位置や長さに基づき、スリットの長手方向中央線を決定する。
【００４８】
上述したおむつ１における構成部材のうち、特に説明しないものについては、使い捨ておむつ等の吸収性物品に用いられている各種のものを特に制限なく用いることができる。
【００４９】
以上、本発明をその好ましい実施形態に基づき説明したが、本発明は上述した実施形態に制限されず、適宜変更可能である。
また、本発明の吸収性物品は、幼児用や成人用の展開式（テープ止め式）の使い捨ておむつの他、幼児用や成人用のパンツ型の使い捨ておむつであってもよい。
また、エンボス領域の平面視形状は、前述したように矩形状に代えて、円形、楕円形等、任意の形状とすることができる。また、エンボス領域に形成する圧縮凹部８１，線状エンボス列を構成する圧縮凹部８２それぞれの平面視形状は、円形に代えて、楕円、四角形、星形等の任意の形状とすることができる。
【００５０】
また、エンボス領域８は、吸収性コアの前側の端部に向かって、その幅が、ステップ状に拡大していてもよく、また、その幅が、連続的に漸次拡大していても良い。また、括れ部４０ｃに位置する部分と腹側幅広部４０ａに位置する部分とで幅を異ならせ、例えば、腹側幅広部４０ａに位置する部分の幅を括れ部４０ｃに位置する部分の幅の１．１倍〜２倍としても良い。また、図７に示すように、線状エンボス列８Ａは、スリット７を挟んでその両側に一対されている線状エンボス列８Ａ間の距離が、エンボス領域８から吸収性コア４０の前側の端部に向かって一端拡大した後、互いに平行となっていても良いし、一対されている線状エンボス列８Ａ間の距離が、エンボス領域８側の端部から吸収性コア４０の前側の端部の全長に亘って互いに平行となっていても良い。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【００５１】
前述した本発明の実施形態（態様）に関し、更に以下の付記（使い捨ておむつ）を開示する。
＜１＞
肌対向面を形成する表面シート、非肌対向面を形成する外層シート及び両シート間に位置する吸収体を備えた使い捨ておむつであって、
前記吸収体は、着用者の前後方向に対応する長手方向に長い形状の吸収性コアを有し、該吸収性コアには、長手方向に延びるスリットが形成されており、
前記吸収性コアは、その長手方向の全長を２等分する長手方向中央線より前側の面積が該長手方向中央線より後側の面積より大きく、該吸収性コアの長手方向中央線は、おむつの長手方向中央線より前側に位置し、前記スリットの長手方向中央線は、該吸収性コアの長手方向中央線よりも更に前側に位置しており、
前記吸収性コアは、エンボス加工により圧縮凹部が散点状に形成されたエンボス領域を有し、該エンボス領域は、圧縮凹部相互間の距離が０．１ｍｍ以上５ｍｍ以下、個々の圧縮凹部の最大寸法が０．１ｍｍ以上５ｍｍ以下、面積が、吸収性コアの平面視全面積の５％以上５０％以下であり、
前記エンボス領域は、前記スリットの一部と重なっており、該エンボス領域の長手方向中央線が、前記おむつの長手方向中央線から前記スリットの長手方向中央線までの範囲内に位置する、使い捨ておむつ。
【００５２】
＜２＞
前記エンボス領域は、前記スリットの後端より後方に位置する部分と、該スリットを挟んでその左右両側に位置する部分とを有する、＜１＞に記載の使い捨ておむつ。
＜３＞
前記吸収性コアは、長手方向前側の端部の幅Ｗａと長手方向後側の端部の幅Ｗｂとの比（Ｗａ／Ｗｂ）が、０．９以上１．１以下である、＜１＞又は＜２＞に記載の使い捨ておむつ。
＜４＞
前記吸収性コアは、平面視において、長手方向の両側縁が内外方に向けて凹状をなす括れ部と、その前後に位置する腹側幅広部及び背側幅広部を有しており、前記括れ部の最小幅部の幅は、前記腹側幅広部の最大幅に対する比が０．９３以下である、＜１＞〜＜３＞の何れか１に記載の使い捨ておむつ。
＜５＞
前記括れ部の最小幅部が、前記吸収性コアの長手方向中心線よりも後側に位置する、＜４＞に記載の使い捨ておむつ。
＜６＞
前記括れ部の両側縁は、内方に向かって凹の湾曲曲線状に形成されている、＜４＞又は＜５＞記載の使い捨ておむつ。
＜７＞
前記吸収性コアは、前記おむつの長手方向中央線の位置で前後に２分割したとき、後側部分と前側部分とで質量の比（後側：前側）が、４０：６０〜４９：５１である、＜１＞〜＜６＞の何れか１に記載の使い捨ておむつ。
＜８＞
前記吸収性コアは、前記おむつの長手方向中央線の位置で前後に２分割したとき、後側の部分と前側の部分とで、該吸収性コアの長手方向における長さの比（後側：前側）が、４０：６０〜４９：５１である、＜１＞〜＜７＞の何れか１に記載の使い捨ておむつ。
＜９＞
前記吸収性コアは、吸水性ポリマーとパルプ繊維とを含み、該吸収性コアの総質量に対する該パルプ繊維の質量の割合が５０％以上である、＜１＞〜＜８＞の何れか１に記載の使い捨ておむつ。
＜１０＞
前記吸収体は、前記吸収性コアを包むコアラップシートを有し、前記圧縮凹部においては、該コアラップシートが該吸収性コアと共に凹陥している、＜１＞〜＜９＞の何れか１に記載の使い捨ておむつ。
【００５３】
＜１１＞
前記吸収体は、前記吸収性コアが、拡散性の高いコアラップシートによって被覆されている、＜１＞〜＜１０＞の何れか１に記載の使い捨ておむつ。
＜１２＞
圧縮凹部が直列してなる線状エンボス列が、前記エンボス領域から、前記吸収性コアの前側の端部に向かって延出するように形成されている、＜１＞〜＜１１＞の何れか１に記載の使い捨ておむつ。
＜１３＞
前記吸収性コアに、長手方向に延びる縦溝及び該長手方向と交差する方向に延びる複数本の横溝が形成されており、前記吸収性コアに、溝に囲まれた複数の小吸収部が形成されている、＜１＞〜＜１２＞の何れか１に記載の使い捨ておむつ。
＜１４＞
前記外層シート３は、おむつ１の非肌対向面（外表面）を形成するシートであり、外層シート３を、おむつ１の非肌対向面側から視た平面視形状は、おむつ１の外形形状に一致する形状を有している＜１＞〜＜１３＞の何れか１に記載の使い捨ておむつ。
＜１５＞
前記外層シート３としては、液難透過性の樹脂フィルムからなるか、樹脂フィルムの非肌対向面側に不織布を積層接着したもの何れかである＜１＞〜＜１４＞の何れか１に記載の使い捨ておむつ。
＜１６＞
前記表面シート２は、液透過性のシートからなり、外層シート３より幅が狭く、外層シート３の幅方向中央部上に配されている＜１＞〜＜１５＞の何れか１に記載の使い捨ておむつ。
＜１７＞
前記吸収体４、パルプ繊維等の繊維材料からなる繊維集合体及びこれに保持させた吸水性ポリマーの粒子からなる吸収性コア４０と、該吸収性コア４０を被覆するコアラップシート４１，４２とからなり、コアラップシート４１，４２としては、透水性の薄紙や透水性の不織布何れかであり、吸収性コア４０は、吸収体４と略同じ平面視形状をしている＜１＞〜＜１６＞の何れか１に記載の使い捨ておむつ。
＜１８＞
前記スリット７は、吸収性コアの一部に形成し、吸収性コアの形成材料が存在しない部分であり、平面視吸収性コアの長手方向に沿って細長い形状であり、吸収性コア４０を厚み方向に貫通している＜１＞〜＜１７＞の何れか１に記載の使い捨ておむつ。
＜１９＞
前記スリット７は、その幅Ｗ７が、３ｍｍ以上、好ましくは５ｍｍ以上であり、また２０ｍｍ以下、好ましくは１５ｍｍ以下である＜１＞〜＜１８＞の何れか１に記載の使い捨ておむつ。
＜２０＞
前記スリットにおける形成材料が存在しない部分における形成材料の坪量は、他の部分の同坪量の１０分の１以下である＜１＞〜＜１９＞の何れか１に記載の使い捨ておむつ。
【００５４】
＜２１＞
前記平面視散点状に配されたエンボス群の形状は、長方形、正方形、楕円何れかの形状である＜１＞〜＜２０＞の何れか１に記載の使い捨ておむつ。
＜２２＞
前記エンボス群における圧縮凹部は、吸収性コアがコアラップシートとともに厚み方向に圧縮されて高密度化しており、吸収性コアの肌対向面側が凹状をなしている＜１＞〜＜２１＞の何れか１に記載の使い捨ておむつ。
＜２３＞
前記散点状に配置された圧縮凹部８１が千鳥配置であるか、又は隣り合う圧縮凹部の中心を結ぶ形状が三角形をなす配置パターンの何れかである＜１＞〜＜２２＞の何れか１に記載の使い捨ておむつ。
＜２４＞
前記圧縮凹部の相互間の距離は、１ｍｍ以上であり、好ましくは２ｍｍ以上であり、また、４ｍｍ以下であり、好ましくは３ｍｍ以下である＜１＞〜＜２３＞の何れか１に記載の使い捨ておむつ。
＜２５＞
前記圧縮凹部の平面視形状の最大寸法は、１ｍｍ以上であり、好ましくは２ｍｍ以上であり、また、４ｍｍ以下であり、好ましくは３ｍｍ以下である＜１＞〜＜２４＞の何れか１に記載の使い捨ておむつ。
＜２６＞
前記エンボス領域における、前記圧縮凹部と前記スリット７と重なる部分にも、エンボス群における他の部分と同様の配置パターンでエンボス部８１が形成されている＜１＞〜＜２５＞の何れか１に記載の使い捨ておむつ。
＜２７＞
前記吸収性コア４０は、長手方向中央線Ｃ４より前側の面積Ｓａと、該長手方向中央線Ｃ４より後側の面積Ｓｂとの比（Ｓａ／Ｓｂ）が、１．２２以下、好ましくは１．５０以下であり、また、０．９６以上好ましくは１．００以上である＜１＞〜＜２６＞の何れか１に記載の使い捨ておむつ。
＜２８＞
前記吸収性コア４０の長手方向中央線Ｃ４の位置は、おむつの長手方向中央線Ｃ１より前側に、１０ｍｍ以上４０ｍｍ以下離間しており、また、スリットの長手方向中央線Ｃ７の位置は、吸収性コアの長手方向中央線Ｃ４より前側に３０ｍｍ以上７０ｍｍ以下離間している＜１＞〜＜２７＞の何れか１に記載の使い捨ておむつ。
＜２９＞
前記吸収性コア４０は、括れ部４０ｃの最小幅部Ｃｓにおける幅Ｗｃの、腹側幅広部４０ａの最大幅に対する比が、０．９３以下であり、好ましくは０．９０以下であり、また、０．７０以上であり、好ましくは０．８０以上であり、吸収性コア４０は、括れ部４０ｃの最小幅部Ｃｓにおける幅Ｗｃの、背側幅広部４０ｂの最大幅に対する比が、０．９３以下であり、好ましくは０．９０以下、また、０．７０以上、好ましくは０．８０以上である＜１＞〜＜２８＞の何れか１に記載の使い捨ておむつ。
＜３０＞
前記吸収性コアの括れ部４０ｃの両側縁４０ｓ，４０ｓは、内方に向かって凹の湾曲曲線状に形成されており、括れ部４０ｃの両側縁４０ｓ，４０ｓは、括れ部４０ｃの最小幅部Ｃｓより前側における湾曲の程度が、最小幅部Ｃｓより後側における湾曲の程度より大きい＜１＞〜＜２９＞の何れか１に記載の使い捨ておむつ。
【００５５】
＜３１＞
前記括れ部４０ｃは、吸収性コア４０の長手方向Ｘにおける長さが、吸収性コア４０の長手方向Ｘの全長Ｌ４に対して、３０％以上であり、好ましくは４０％以上であり、また７０％以下、好ましくは６０％以下であり、また、３０〜７０％であり、好ましくは４０〜６０％である＜１＞〜＜３０＞の何れか１に記載の使い捨ておむつ。
＜３２＞
前記スリット７の全長Ｌ７は、おむつ１の長手方向の全長Ｌの、２０％以上、好ましくは３０％以上であり、また、４５％以下、好ましくは４０％以下であり、また、２０〜４５％、好ましくは３０〜４０％であり、また、スリット７は、吸収性コア４０の前側の端部４０ｄからスリット７の長手方向中央線Ｃ７までの距離が、吸収性コア４０の全長Ｌ４の１５％以上、好ましくは２０％以上であり、また、４５％以下、好ましくは４０％以下であり、また、１５％以上４５％以下、好ましくは２０％以上４０％以下である＜１＞〜＜３１＞の何れか１に記載の使い捨ておむつ。
＜３３＞
前記スリット７は、吸収性コア４０の前側の端部４０ｄからスリット７の後側の端部７ｂまでの距離が、吸収性コア４０の全長Ｌ４の４０％以上、好ましくは４５％以上であり、また、６０％以下、好ましくは５０％以下であり、また、４０％以上６０％以下、好ましくは４５％以上５０％以下であり、また、スリット７は、前側の端部７ａが、吸収性コア４０の前側の端部４０ｄに達していない＜１＞〜＜３２＞の何れか１に記載の使い捨ておむつ。
＜３４＞
前記吸収性コア４０に形成するスリット７においては、スリット７と重なる部分において、吸収性コア４０の肌対向面側に位置する上側コアラップシート４１と、非肌対向面側に位置する下側コアラップシート４２との間が、非接合又は離間状態となっている＜１＞〜＜３３＞の何れか１に記載の使い捨ておむつ。
＜３５＞
前記吸収性コア４０は、パルプ繊維等の繊維材料からなる繊維集合体及びこれに保持させた吸水性ポリマーの粒子からなり、繊維集合体を構成する繊維材料としては、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用い、吸水性ポリマーの粒子としては、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等を用いた＜１＞〜＜３４＞の何れか１に記載の使い捨ておむつ。
＜３６＞
前記吸収性コアは、吸水性ポリマーとパルプ繊維とを含み、該吸収性コアの総質量に対する該パルプ繊維の質量の割合が２５％以上であり、吸収性コアの総質量に対するパルプ繊維の質量の割合は、好ましくは３０％以上であり、また７０％以下、好ましくは６０％以下であり、好ましくは４０〜７０％、更に好ましくは５０〜６０％であり、吸収性コアの総質量に対する、パルプ繊維及び吸水性ポリマーの合計質量の割合は、９０〜１００％であり、好ましくは９５〜１００％である＜１＞〜＜３５＞の何れか１に記載の使い捨ておむつ。
＜３７＞
前記吸収体４は、吸収性コア４０が、拡散性の高いコアラップシート４１，４２によって被覆されており、コアラップシートに関し、クレム吸水量が、０．２ｇ／３０ｓｅｃ・１５ｍｍ以上、好ましくは０．２〜０．４ｇ／３０ｓｅｃ・１５ｍｍの範囲である＜１＞〜＜３６＞の何れか１に記載の使い捨ておむつ。
＜３８＞
前記吸収性コア４０の肌対向面側を被覆する上側のコアラップシート４１と、吸収性コア４０の非肌対向面側を被覆する下側のコアラップシート４２とが別体のシートであり、少なくとも、非肌対向面側を被覆するコアラップシート４２が、拡散性の高いシートであり、液高拡散性のコアラップシートとしては、嵩高セルロース繊維及び非嵩高セルロース繊維を併用したパルプシートである＜１＞〜＜３７＞の何れか１に記載の使い捨ておむつ。
＜３９＞
前記吸収性コア４０Ａにおいては、線状エンボス列８Ａにおける圧縮凹部８２も、エンボス領域８における圧縮凹部８１と同様に、コアラップシート４１と吸収性コア４０とを一体的に加熱及び加圧して形成されており、線状エンボス列８Ａにおける圧縮凹部８２は、散点状に形成されてはおらず、一列をなすように間欠配置され、圧縮凹部８２同士間も、圧縮凹部８１，８２以外の部分に比して窪んでおり、線状エンボス列８Ａは、間欠的に配置された圧縮凹部８２とそれらの間に位置する窪んだ部分とからなる溝形状をなしており、線状エンボス列８Ａを形成するための圧縮凹部８２は、個々の圧縮凹部８２の最大寸法が、１ｍｍ以上４ｍｍ以下であり、好ましくは２ｍｍ以上３ｍｍ以下であり、また、線状エンボス列８Ａの長手方向に隣り合う圧縮凹部８２どうし間の間隔は、０．５ｍｍ以上３ｍｍ以下であり、好ましくは１ｍｍ以上２ｍｍ以下である＜１＞〜＜３８＞の何れか１に記載の使い捨ておむつ。
＜４０＞
前記吸収性コア４０’においては、上記のスリット７に加えて、更に縦溝７Ａ及び横溝７Ｂをスリット７とは別に有し、これらの縦溝は、いずれも吸収性コア４０’を厚み方向に貫通し、吸収性コア４０’においては、吸収性コア４０’の長手方向中央線Ｃ４よりも前側の領域に、長手方向Ｘに延びる縦溝７Ａ，７Ａ及び該長手方向Ｘと交差する方向Ｙに延びる複数本の横溝７Ｂが形成されており、該吸収性コア４０’に、溝により囲まれた複数の小吸収部７５が形成されており、縦溝７Ａは、幅方向Ｙの中央に配されたスリット７の両側それぞれに１本ずつ形成されており、横溝７Ｂは、吸収性コア４０’の長手方向中央線Ｃ４よりも前側の領域に複数本形成されており、それらの横溝７Ｂは、それぞれ、中央のスリット７と十字状に交差するとともに、中央のスリット７を挟んでその両側に位置する縦溝７Ａ，７Ａのそれぞれにも連結されている＜１＞〜＜３９＞の何れか１に記載の使い捨ておむつ。
【００５６】
＜４１＞
前記エンボス領域８は、吸収性コアの前側の端部に向かって、その幅が、ステップ状に拡大しまたは、その幅が、連続的に漸次拡大し、また、括れ部４０ｃに位置する部分と腹側幅広部４０ａに位置する部分とで幅を異ならせ、腹側幅広部４０ａに位置する部分の幅を括れ部４０ｃに位置する部分の幅の１．１倍〜２倍とし、また、線状エンボス列８Ａは、スリット７を挟んでその両側に一対されている線状エンボス列８Ａ間の距離が、エンボス領域８から吸収性コア４０の前側の端部に向かって一端拡大した後、互いに平行となっており、又は一対されている線状エンボス列８Ａ間の距離が、エンボス領域８側の端部から吸収性コア４０の前側の端部の全長に亘って互いに平行となっている＜１＞〜＜４０＞の何れか１に記載の使い捨ておむつ。
＜４２＞
前記エンボス領域の平面視形状は、矩形状、円形、楕円形の何れかの形状であり、また、エンボス領域に形成する圧縮凹部８１，線状エンボス列を構成する圧縮凹部８２それぞれの平面視形状は、円形に代えて、楕円、四角形、星形の何れかの形状である＜１＞〜＜４１＞の何れか１に記載の使い捨ておむつ。
＜４３＞
展開型の使い捨ておむつである、前記＜１＞〜＜４２＞の何れか１に記載の使い捨ておむつ。
＜４４＞
レッグギャザー及び立体ギャザーを有する＜４３＞記載の使い捨ておむつ。
【００５７】
＜４５＞
前記＜１＞〜＜４４＞の何れか１に記載の使い捨ておむつを製造する使い捨ておむつの製造方法であって、
エンボス領域８は、吸収性コア４０を、コアラップシート４１，４２で被覆した積層体を、エンボスピン（エンボス用の円柱状の凸部）が、散点状の配置パターンで形成された加圧部を周面に備えたエンボスロールとアンビルロールとの間に通し、該積層体をエンボスピンで、上側コアラップシート４１側から加圧しつつ加熱して形成する、使い捨ておむつの製造方法。
＜４６＞
吸収性コア４０は、空気流に載せて供給した繊維材料を、所定形状の積繊用凹部内に吸引して堆積させる積繊工程を経て得られるものであり、繊維材料とともに吸水性ポリマーを空気流に乗せて供給し、混合状態等の所定の堆積状態に堆積させて製造し、スリット７は、積繊ドラムの積繊用凹部内に、スリット７に対応する形状の非通気性の凸部等を設けることにより形成する＜４５＞記載の使い捨ておむつの製造方法。
＜４７＞
前記＜１＞〜＜４４＞の何れか１に記載の使い捨ておむつの使用方法であり、
着用者に装着して使用し、着用者が排尿したときに、排尿された尿が直接供給された排尿部Ｐの位置がスリット７に重なるよう装着するか、又は、排尿された尿が直接供給された排尿部Ｐの位置が、スリット７の位置からズレてエンボス領域８と重なっているよう装着する使い捨ておむつの使用方法。
【実施例】
【００５８】
以下、本発明を実施例を用いて更に説明するが、本発明は、斯かる実施例によって何ら制限されるものではない。
【００５９】
〔実施例１〕
図３に示す形態の吸収性コア４０を備えた吸収体を製造した。吸収性コア４０は、パルプ繊維と吸水性ポリマーの混合積繊体として形成し、パルプ繊維の割合は４０質量％とした。パルプ繊維としては、通常のフラッフパルプを用いた。積繊時には、一部にパルプ繊維等が堆積しない部分を設けて、スリット付きの吸収性コアを形成した。吸収性コア４０の肌対向面側を被覆する上側のコアラップシート、非肌対向面側を被覆する下側のコアラップシートとしては下記のものを用いた。上下のコアラップシート間に吸収性コアが挟まれた構成の積層体に対して、多数のエンボスピンを備えた加圧部を周面に有するエンボスロールとアンビルロールとを備えたピンエンボス装置を用いて熱エンボス加工を行い、エンボス領域を有する吸収体を得た。
上側のコアラップシート：坪量１３．５ｇ/ｍ２の薄葉紙
下側のコアラップシート：坪量１３．５ｇ/ｍ２の薄葉紙
エンボス領域の面積は３３．６ｃｍ２で、吸収性コアの平面視全面積の８％であった。また、圧縮凹部相互間の距離ａ〜ｄは、何れも４ｍｍで、個々の圧縮凹部は平面視円形で直径（最大寸法）が２ｍｍであった。
【００６０】
上記の吸収体を、表面シートと外層シートとの間に挟み、両シート間を吸収体の周囲において接合して評価用のおむつを得た。得られた評価用のおむつにおける各部の寸法を表１に示した。
また、表面シート及び外層シートとしては下記のものを用いた。
表面シート：坪量３６ｇ/ｍ２のエアスルー不織布
外層シート：坪量２０ｇ/ｍ２のポリエチレンフィルムシート
【００６１】
〔実施例２〕
熱エンボス加工によるエンボス領域の形成時に、エンボス領域とともに図７に示す線状エンボス列を形成した以外は、実施例１と同様にして評価用のおむつを製造した。得られた評価用のおむつにおける各部の寸法を表１に示した。
【００６２】
〔比較例１〕
エンボス領域を形成しない以外は、実施例１と同様にして、評価用のおむつを得た。得られた評価用のおむつにおける各部の寸法を表１に示した。
〔比較例２〕
表面シートと外層シートとの間における吸収体の配置位置をおむつの後方側にずらして、吸収性コアの長手方向中央線の位置とおむつの長手方向中央線の位置とを一致させるとともに、スリットの全長が、おむつの長手方向中央線と吸収性コアの前側の端部との間に収まるように、スリットの長さを短くした以外は、実施例１と同様にして、評価用のおむつを得た。得られた評価用のおむつにおける各部の寸法を表１に示した。
【００６３】
〔評価〕
以下の方法により液戻り量及び液拡散面積を測定し、その結果を表１、図９（写真）に示した。
〔液戻り量〕
実施例及び比較例の各評価用のおむつを、５°の傾斜をつけた平板上に、大面積領域側を傾斜下端側にして固定した。内径３６ｍｍの円筒状の注入筒（下面に開口する注入口の内径３６ｍｍ）を備えたアクリルプレートを、注入口の中心が、おむつの長手方向中心線Ｃ１から前側に５０mm離間した位置における吸収性コアの幅方向の中央部に位置するように載せ、該注入筒に、赤く着色した人工尿１２０ｇを３回に分けて１０分おきに４０ｇずつ注入した。図９中、Ｐは液注入ポイントを示す。３回目の注入終了後、１０分放置した後、コラーゲンフィルム（Ｎａｔｕｒｉｎ社、商品名ＣＯＦＦＩＪ）を７０ｍｍ角にカットしたものを４枚重ねたものを載せた。更にその上に圧力が７ｋＰａになるように重りを載せて３０秒間加圧した。加圧後、コラーゲンフィルムを取り出し、加圧前後のコラーゲンフィルムの重さを測定して、コラーゲンフィルムに吸収された液の重量を測定して液戻り量とした。
【００６４】
〔液拡散面積〕
液戻り量の測定が終了した直後に、ＯＨＰ用フィルムを表面シートの上に置き、表面シートが赤く拡がった部分の輪郭を書き込んだ。その輪郭の内側の面積を測定できる専用ソフト（Ｉｍａｇｅ−ＰｒｏＰｌｕｓ：（株）日本ローパー社製）を用い、ＯＨＰフィルムに書き込まれた画像をスキャナーでパソコンに取り込んで液拡散面積を求めた。
【００６５】
【表１】
2015119786.tif 000003
【００６６】
表１に示す結果から、実施例１，２のおむつは、排尿された尿を、吸収性コアにおけるスリットが形成された大面積の前側領域に効率よく拡散させることができ、図９に示す写真も参酌すると、実施例では吸収性コアの隅まで液が拡散することで、排尿ポイント付近で液が滞り液戻りしやすい傾向を緩和することで液戻りも減少していると考えられる。つまり吸収容量を有効利用可能であること、及び着用者の肌への液戻り防止性に優れることが判る。
【００６７】
図９に示す写真は、実施例１，２及び比較例１，２の表1で示した液拡散面積の実際の測定試料の拡散面が赤く着色された部分を示し、実施例においては、吸収体のスリットが形成された側の端部及び両側部にわたり拡散されていることがわかり、吸収性コア全体を隅部まで効率よく有効利用している様子がわかる
【符号の説明】
【００６８】
１  使い捨ておむつ
２  表面シート
３  外層シート
４  吸収体
４０，４０Ａ，４０’  吸収性コア
４０ｄ，４０ｅ  両端
４０ａ  腹側幅広部
４０ｃ  括れ部
４０ｂ  背側幅広部
４１，４２  コアラップシート
５  ファスニングテープ
６  立体ギャザー
７  スリット
７Ａ  縦溝
７Ｂ  横溝
７５  小吸収部
８  エンボス領域
８１  圧縮凹部
８Ａ  線状エンボス列
Ｃ１  おむつの長手方向中央線
Ｃ４  吸収性コアの長手方向中央線
Ｃ７  スリットの長手方向中央線
Ｃ８  エンボス領域の長手方向中央線
Ｐ  排尿部
【図１】
2015119786.tif 000004
【図２】
2015119786.tif 000005
【図３】
2015119786.tif 000006
【図４】
2015119786.tif 000007
【図５】
2015119786.tif 000008
【図６】
2015119786.tif 000009
【図７】
2015119786.tif 000010
【図８】
2015119786.tif 000011
【図９】
2015119786.tif 000012